(57)【要約】【課題】  簡単な方法で、ユーザの検出が可能な検出センサによる前後方向の検出領域および左右方向の検出領域を簡単な構成で調整することができる。【解決手段】  画像形成装置（１００）は、装置本体および検出部１０を含む。検出部１０は、検出可能領域が斜め上方に向かうように配置され、装置本体の前方に設定された所定の検出領域における人の在否を検出するための検出センサ７０と、検出センサ７０に対し左右方向に相対移動可能であって、当該検出センサ７０の検出可能領域の一部を遮蔽することによって検出領域を規定する複数の窓８２ａ〜８２ｃを有するシャッタ部材８０とを含む。複数の窓８２ａ〜８２ｃのそれぞれの左右の側縁部の間の距離は、他の窓８２の左右の側縁部の間の距離と異なる。また、複数の窓８２のそれぞれの下縁部８２２の上下方向の位置は、他の窓８２の下縁部８２２の上下方向の位置と異なる。【選択図】  図３
2019202505.tif 000002
【特許請求の範囲】
【請求項１】
装置本体、
検出可能領域が斜め上方に向かうように配置され、前記装置本体の前方に設定された所定の検出領域における人の在否を検出するための検出センサ、
前記検出センサに対し相対移動可能に設けられる遮蔽部材、および
前記遮蔽部材に設けられ、前記検出センサの前記検出可能領域の一部を遮蔽することによって前記検出領域を規定する領域規定部を備え、
前記領域規定部は、前記検出領域の下端位置を規定する複数の下縁部と、前記検出領域の左端位置または右端位置の少なくとも一方を規定する複数の側縁部とを含み、
前記複数の下縁部は、左右方向および上下方向のそれぞれにおいて互いに異なる位置に形成され、
前記複数の側縁部は、左右方向において互いに異なる位置に形成される、画像形成装置。
【請求項２】
前記領域規定部は、前記遮蔽部材に形成される開口部を有し、
前記開口部は、前記複数の下縁部および前記複数の側縁部を含む、請求項１に記載の画像形成装置。
【請求項３】
前記領域規定部は、前記遮蔽部材に形成される複数の開口部を有し、
前記複数の開口部のそれぞれは、前記複数の下縁部のうちの少なくとも１つおよび前記複数の側縁部のうちの少なくとも１つを含む、請求項１に記載の画像形成装置。
【請求項４】
前記側縁部は、前記複数の下縁部の間に形成される、請求項１ないし３のいずれかに記載の画像形成装置。
【請求項５】
前記側縁部は、略垂直に形成される、請求項１ないし４のいずれかに記載の画像形成装置。
【請求項６】
前記側縁部は、斜めに形成される、請求項１ないし４のいずれかに記載の画像形成装置。
【請求項７】
前記遮蔽部材を、前記複数の下縁部のうちの少なくとも１つと、前記検出センサとが対応する所定の位置で、保持する保持部をさらに備える、請求項１ないし６のいずれかに記載の画像形成装置。
【請求項８】
前記装置本体の前面側に配置される操作部をさらに備え、
前記検出領域は、少なくとも前記操作部の前方の領域を含む、請求項１ないし７のいずれかに記載の画像形成装置。
【発明の詳細な説明】
【技術分野】
【０００１】
この発明は画像形成装置に関し、特にたとえば、装置本体の周辺における人の在否を検出するための検出センサを備える、画像形成装置に関する。
【背景技術】
【０００２】
背景技術の画像形成装置の一例が特許文献１に開示される。特許文献１の画像形成装置は、画像形成処理を行う装置本体と、当該装置本体に設けられた検出装置とを備える。この検出装置は、ユーザの検出が可能な検出センサを有し、装置本体に近づくユーザを検出する装置である。また、この検出装置は、検出センサの検出範囲を下方から部分的に覆うことが可能なシャッタ部を有し、検出センサの検出範囲がシャッタ部によって部分的に覆われる。さらに、シャッタ部は、上下方向に往復移動することが可能となる様に設けられており、シャッタ部の位置が調整されることにより、水平方向から見たときの検出範囲の最下端線が斜め上方へ移動する。
【先行技術文献】
【特許文献】
【０００３】
【特許文献１】特開２０１７−０６３４１０号公報
【発明の概要】
【発明が解決しようとする課題】
【０００４】
しかしながら、背景技術の画像形成装置では、検出センサ単体での上下方向の検出領域の最下端線を調整可能で、これによって、検出センサからの前後方向の検出領域つまり検出距離を調整することが可能であるが、検出センサに対して左右方向の検出領域を調整することはできない。つまり、改善の余地がある。
【０００５】
それゆえに、この発明の主たる目的は、新規な、画像形成装置を提供することである。
【０００６】
この発明の他の目的は、ユーザの検出が可能な検出センサによる前後方向の検出領域および左右方向の検出領域を簡単な構成で調整することができる、画像形成装置を提供することである。
【課題を解決するための手段】
【０００７】
第１の発明は、装置本体、検出センサ、遮蔽部材および領域規定部を備える画像形成装置である。検出センサは、検出可能領域が斜め上方に向かうように配置され、装置本体の前方に設定された所定の検出領域における人の在否を検出するためのセンサである。遮蔽部材は、検出センサに対し相対移動可能に設けられる。領域規定部は、遮蔽部材に設けられ、検出センサの検出可能領域の一部を遮蔽することによって検出領域を規定する。領域規定部は、検出領域の下端位置を規定する複数の下縁部と、検出領域の左端位置または右端位置の少なくとも一方を規定する複数の側縁部とを含み、複数の下縁部は、左右方向および上下方向のそれぞれにおいて互いに異なる位置に形成され、複数の側縁部は、左右方向において互いに異なる位置に形成される。
【０００８】
第２の発明は、第１の発明に従属する画像形成装置であって、領域規定部は、遮蔽部材に形成される開口部を有し、開口部は、複数の下縁部および複数の側縁部を含む。
【０００９】
第３の発明は、第１の発明に従属する画像形成装置であって、領域規定部は、遮蔽部材に形成される複数の開口部を有し、複数の開口部のそれぞれは、複数の下縁部のうちの少なくとも１つおよび複数の側縁部のうちの少なくとも１つを含む。
【００１０】
第４の発明は、第１ないし第３のいずれかの発明に従属する画像形成装置であって、側縁部は、複数の下縁部の間に形成される。
【００１１】
第５の発明は、第１ないし第４のいずれかの発明に従属する画像形成装置であって、側縁部は、略垂直に形成される。
【００１２】
第６の発明は、第１ないし第４のいずれかの発明に従属する画像形成装置であって、側縁部は、斜めに形成される。
【００１３】
第７の発明は、第１ないし第６のいずれかの発明に従属する画像形成装置であって、遮蔽部材を、複数の下縁部のうちの少なくとも１つと、検出センサとが対応する所定の位置で、保持する保持部をさらに備える。
【００１４】
第８の発明は、第１ないし第７のいずれかの発明に従属する画像形成装置であって、装置本体の前面側に配置される操作部をさらに備え、検出領域は、少なくとも操作部の前方の領域を含む。
【発明の効果】
【００１５】
この発明によれば、ユーザの検出が可能な検出センサによる前後方向の検出領域および左右方向の検出領域を簡単な構成で調整することができる。
【００１６】
この発明の上述の目的、その他の目的、特徴および利点は、図面を参照して行う以下の実施例の詳細な説明から一層明らかとなろう。
【図面の簡単な説明】
【００１７】
【図１】図１は、第１実施例の画像形成装置の全体構成の概略の一例を示す概略斜視図である。
【図２】図２は検出センサの取付構造を示す概略断面図である。
【図３】図３（Ａ）は検出部の構造を示す概略斜視図である。図３（Ｂ）は検出部の構造を示す概略断面図である。
【図４】図４は検出部の構造を示す概略正面図である。
【図５】図５は検出センサの検出面と複数の窓の各々との関係を示す概略図である。
【図６】図６は検出センサによる前後方向の検出領域がシャッタ部材の位置に応じて変わることを示した概略側面図である。
【図７】図７は検出センサによる左右方向および前後方向の検出領域がシャッタ部材の位置に応じて変わることを示した概略平面図である。
【図８】図８は第２実施例のシャッタ部材の構造を示す概略正面図である。
【図９】図９（Ａ）は第１位置における検出センサと窓との位置関係を示す概略正面図である。図９（Ｂ）は第２位置における検出センサと窓との位置関係を示す概略正面図である。図９（Ｃ）は第３位置における検出センサと窓との位置関係を示す概略正面図である。図９（Ｄ）は第４位置における検出センサと窓との位置関係を示す概略正面図である。図９（Ｅ）は第５位置における検出センサと窓との位置関係を示す概略正面図である。
【図１０】図１０は第２実施例の検出センサの検出領域を示す概略平面図である。
【図１１】図１１は変形例の窓の形状を示す概略正面図である。
【図１２】図１２は第３実施例の保持部材の構造を示す概略正面図である。
【発明を実施するための形態】
【００１８】
［第１実施例］
図１は、この発明の一実施例である画像形成装置１００の全体構成の概略の一例を示す概略斜視図である。
【００１９】
図１を参照して、この発明の一実施例である画像形成装置１００は、画像形成部１２と画像読取部１４との間に胴内排紙部１６が形成される胴内排紙型の画像形成装置であって、画像読取部１４の前面側に設けられる操作ユニット１８を備える。後述するように、画像形成装置１００は、画像読取部１４で読み取った画像データ等に基づいて、所定の記録媒体に対して多色または単色の画像を形成し、画像形成された記録媒体を胴内排紙部１６に排出する。なお、記録媒体としては、紙からなる用紙に限定されず、ＯＨＰフィルムなどの紙以外のシートも用いられる。この第１実施例では、画像形成装置１００は、複写機能、プリンタ機能、スキャナ機能およびファクシミリ機能などを有する複合機（ＭＦＰ：Multifunction Peripheral）である。
【００２０】
なお、この発明では、ユーザの立ち位置に対向する面、つまり操作ユニット１８が設けられる側の面を前面または正面として画像形成装置１００およびその構成部材の前後方向または奥行方向を規定し、画像形成装置１００およびその構成部材の左右方向（横方向）は、ユーザから画像形成装置１００を見た状態を基準として規定する。
【００２１】
先ず、画像形成装置１００の基本構成について説明する。図１に示すように、画像形成装置１００は、画像形成部１２と、画像形成部１２の上方に設けられる画像読取部１４とを備える装置本体を含む。
【００２２】
画像形成部１２の筐体は、右側上部に形成される第１連結筐体１２ａと奥側上部に形成される第２連結筐体１２ｂとを含み、これら第１連結筐体１２ａおよび第２連結筐体１２ｂによって画像読取部１４が支持される。これにより、画像読取部１４の下面側には、画像形成済みの用紙が収容される胴内空間である胴内排紙部１６が形成される。
【００２３】
胴内排紙部１６は、底面および天面が画像形成部１２の筐体および画像読取部１４の筐体２４によって区画され、右側面および背面が第１連結筐体１２ａおよび第２連結筐体１２ｂによって区画される。つまり、胴内排紙部１６の前面側および左側面側は、開口している。また、胴内排紙部１６には、排紙口から排出される画像形成済みの用紙を受ける排紙トレイ２６が設けられる。
【００２４】
画像形成部１２は、露光ユニット、現像器、感光体ドラム、帯電器、中間転写ベルト、転写ローラおよび定着ユニット等を備える。画像形成部１２は、その下方に配置される給紙カセット２０等から搬送される用紙に対して電子写真方式によって画像を形成する。すなわち、画像形成部１２は、帯電器および露光ユニット等によって画像データに応じた静電潜像を感光体ドラム上に形成し、現像器によって、感光体ドラム上の静電潜像をトナーにより顕像化する。また、感光体ドラム上に形成されたトナー像を中間転写ベルトおよび転写ローラ等によって用紙に転写し、用紙に転写されたトナー像を定着ユニットによって熱定着させる。その後、画像形成済みの用紙を第１連結筐体１２ａに形成される排紙口２２から胴内排紙部１６に排出する。なお、用紙上に画像を形成するための画像データは、画像読取部１４で読み取った画像データまたは外部コンピュータから送信された画像データ等である。
【００２５】
なお、詳細な説明は省略するが、画像形成装置１００は、カラーのプリント機能を備えており、画像形成部１２は、Ｙ（イエロー）、Ｍ（マゼンタ）、Ｃ（シアン）、Ｋ（ブラック）の各色について、４つの感光体ドラムと、４つの帯電装置と、４つの現像装置と、４つの中間転写ローラと、４つのクリーニング装置などを備える。また、色毎に、感光体ドラムと、帯電装置と、現像装置と、転写ローラと、クリーニング装置を含む画像形成ステーションが構成される。たとえば、画像形成装置１００は、タンデム式の画像形成装置であって、画像形成部１２において、色毎の画像形成ステーションが一列に並んで配置される。
【００２６】
画像読取部１４は、透明材によって形成される原稿載置台を上面に有する筐体２４を備える。この筐体２４内には、光源、複数のミラー、結像レンズおよびラインセンサ等が設けられる。画像読取部１４は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度や色度が検出され、原稿表面の画像に基づく画像データが生成される。ラインセンサとしては、ＣＣＤ（Charge Coupled Device）またはＣＩＳ（Contact Image Sensor）等が用いられる。
【００２７】
また、画像読取部１４の上面には、奥側に配置されるヒンジ等を介して、原稿押えカバー３０が開閉自在に取り付けられる。この原稿押えカバー３０には、原稿載置トレイ３２に載置された原稿を画像読取部１４の画像読取位置に対して１枚ずつ自動的に給紙するＡＤＦ（自動原稿送り装置）３４が設けられる。
【００２８】
また、画像読取部１４の筐体２４の前面２４ａは、画像形成部１２の筐体前面よりも後方に位置しており、上端よりも下端が前方に突出する上向きの傾斜面となっている。さらに、この第１実施例では、画像読取部１４の筐体２４は、原稿押えカバー３０の前面よりも前方に突出する筐体突出部２４ｂを有する。つまり、筐体２４の前端部（前面２４ａ）は、原稿押えカバー３０の前面よりも前方に突出している。そして、この画像読取部１４の筐体２４の前面側に、操作ユニット１８が設けられる。
【００２９】
操作ユニット１８は、横長の略矩形板状に形成され、筐体２４の前面右側に配置される。この操作ユニット１８の上面には、タッチパネルディスプレイ５０およびホームキー５２等が設けられる。ただし、操作ユニット１８の大きさは、搭載されるタッチパネルディスプレイ５０の大きさ等によって適宜変更可能であり、特に限定されない。また、操作ユニット１８は、その上面をユーザが目視し易いように、前側下がりに少し傾斜して設けられる。また、画像読取部１４の筐体２４における操作ユニット１８の支持部には、操作ユニット１８の前側下がりの傾斜角を変更する変更機構が設けられていても良い。
【００３０】
タッチパネルディスプレイ５０は、液晶表示パネルにアナログ抵抗膜などが積層されて構成されるタッチパネル一体型液晶表示装置であり、操作ユニット１８の上面の周縁を除く領域に設けられる。この第１実施例では、タッチパネルディスプレイ５０のタッチ位置の検出方式として静電容量方式が用いられる。ただし、赤外線遮断検出方式、表面弾性波方式および抵抗膜方式等の他の公知方式も適宜利用可能である。このタッチパネルディスプレイ５０には、各種設定や印刷指示などをユーザから受け付けるためのソフトウェアキーおよびメッセージ等が表示される。一例として、タッチパネルディスプレイ５０には、画像形成装置１００が実行可能な各種の動作モードから所望の動作モードを選択するためのホーム画面が表示される。
【００３１】
ホームキー５２は、静電容量の変化に基づいてユーザの操作を検出する静電容量式のハードウェアキーであって、タッチパネルディスプレイ５０の右側の領域に設けられる。ホームキー５２は、ホーム画面への移行指示を行うためのキーであり、ユーザによってホームキー５２が押下されると、タッチパネルディスプレイ５０にはホーム画面が表示される。
【００３２】
なお、ソフトウェアキーとは、画面上にソフトウェア的に再現されたキーのことを言う。これに対して、ハードウェアキーとは、物理的な装置として設けられたキー（ボタン）のことを言う。
【００３３】
また、筐体突出部２４ｂの上面には、電源キー５４が設けられる。たとえば、電源キー５４は、機械的な接点状態の切替えに基づいてユーザの操作を検出する機械式のハードウェアキーであり、画像形成装置１００の電源のオン・オフを行うための操作キーである。ただし、電源キー５４は、タッチパネルディスプレイ５０よりも奥側であってかつ操作ユニット１８の横幅の範囲内に設けられる。より具体的には、電源キー５４は、筐体突出部２４ｂの上面の右側端部に設けられ、電源キーと操作ユニット１８に設けられるハードウェアキーであるホームキー５２とは、前後方向に並ぶように配置される。
【００３４】
このように、操作ユニット１８および電源キー５４を含む操作部は、いずれも筐体２４の前面右側に配置される。すなわち、操作ユニット１８および電源キー５４が、筐体２４の前面右側に集中して配置されるので、画像形成装置１００を操作使用するユーザは、画像形成装置１００の前面右側に立つと考えられる。
【００３５】
また、図示は省略するが、画像形成装置１００の所定位置には、画像形成装置１００の各部位の動作を制御する制御部が設けられる。制御部は、ＣＰＵおよびメモリ等を備え、ユーザによる操作ユニット１８への入力操作などに応じて、画像形成装置１００の各部位に制御信号を送信し、画像形成装置１００に種々の動作を実行させる。
【００３６】
また、画像読取部１４の筐体２４の前面２４ａには、画像形成装置１００に近づく人（ユーザ）を検出するための検出部１０が設けられる。検出部１０についての詳細な説明は後述するが、この検出部１０が検出する検出情報は、たとえば画像形成装置の省電力制御に用いられる。たとえば、省電力制御が実行されると、コピーやＦＡＸなどの所定の処理を終えてから所定時間後に、所定の処理に関係する電源をオフする所謂省エネモードに移行し、この省エネモード中に検出部１０が装置本体に近づく人を検出した場合に、所定の処理に関係する電源がオンされ、所定の処理を実行可能にする通常モードに復帰することで不要な電力消費を抑制する。ここで、省エネモードが実行されている場合に、単に画像形成装置の傍を通過する人やプリントアウトされた印刷物を取りに来ただけの人を検出して通常モードへの切替動作を行ってしまうと、不要な電力を消費してしまうことになる。このため、画像形成装置の設置環境に応じて適切な検出領域を設定することが望まれる。そこで、本実施例では、画像形成装置の設置環境に応じて適切な検出領域を設定できるようにしてある。
【００３７】
以下、図面を参照して本実施例の検出部１０の構造について説明する。図２は検出センサ７０の取付構造を示す概略断面図である。図３（Ａ）は検出部１０の構造を示す概略斜視図である。図３（Ｂ）は検出部１０の構造を示す概略断面図である。図４は検出部１０の構造を示す概略正面図である。図５は検出センサ７０の軸方向から見たときにおける検出センサ７０と複数の窓８２の各々との関係を示す概略図である。
【００３８】
図２、図３（Ａ）、図３（Ｂ）および図４に示すように、検出部１０は、保持部材６０、検出センサ７０およびシャッタ部材（遮蔽部材）８０を含む。
【００３９】
保持部材６０は、全体として略板状の本体部を有し、赤外線を遮断することが可能な材料によって形成される。また、保持部材６０は、本体部の左右の端部に設けられた締結用の貫通孔６０ａに通されるボルト９０およびボルト９０に螺合されるナット（図示せず）によって画像読取部１４の筐体２４の前面２４ａの内部に取り付けられる。さらに、筐体２４の前面２４ａには、光透過性カバーが着脱可能に設けられる開口部２４ｃが形成されており、開口部２４ｃは、保持部材６０に対応する位置（保持部材６０の前方）に配置される。
【００４０】
また、図面からは分かり難いが、保持部材６０の背面側には、検出センサ７０を支持する基板がねじ等によって取り付けられている。すなわち、検出センサ７０は、基板および保持部材６０を介して筐体２４に支持される。
【００４１】
さらに、保持部材６０は、窓（開口部）６０２、フランジ部６０４、複数の凹部６０６、複数の突起（ボス）６０８およびガイドリブ６１０を有する。
【００４２】
窓６０２は、略矩形状の開口端によって形成され、保持部材６０の上下左右方向の略中央に設けられる。また、詳細は後述するが、窓６０２は、検出センサ７０単体での検出領域、すなわち障害物等が無い場合における検出センサ７０の最大検出可能領域（以下、「検出可能領域」という。）の下側の一部および左右の両端部を遮蔽するように設けられる。
【００４３】
フランジ部６０４は、保持部材６０の本体部の上端部から前方に延び、かつ、先端部が下方に折り曲げられており、左右から見た場合に、断面略Ｌ字状に形成される。このため、保持部材６０の上端部には、保持部材６０の本体表面およびフランジ部６０４によって、下方に向けて開かれた断面Ｕ字状（コの字状）の溝が形成される。
【００４４】
複数の凹部６０６は、保持部材６０の本体の前面に設けられた略半球状の凹部（丸型凹部）である。複数の凹部６０６は、上下方向においてフランジ部６０４と窓６０２との間に設けられ、所定の間隔を隔てて左右方向に並ぶ。この実施例では、３つの凹部６０６が保持部材６０に設けられる。詳しくは、左から順に配置される凹部６０６ａ〜６０６ｃが保持部材６０に設けられる。以下、凹部６０６ａ〜６０６ｃを特に区別しない場合には単に「凹部６０６」と言うことがある。
【００４５】
複数の突起６０８は、保持部材６０の本体部の前面から前方に突出する略円柱状または略円筒状の突起である。複数の突起６０８は、窓６０２の下方に設けられ、所定の間隔を隔てて左右方向に並ぶ。また、複数の突起６０８の前面には、締結用のねじ孔が形成される。この実施例では、２つの突起６０８が設けられる。
【００４６】
ガイドリブ６１０は、保持部材６０の本体の前面に設けられ、左右方向に延びる断面略矩形状のリブである。このガイドリブ６１０は、上下方向において窓６０２と突起６０８との間に設けられる。
【００４７】
検出センサ７０は、赤外線を発する物体を検出できる焦電センサ（焦電型赤外線センサ）であり、画像形成装置１００の前方に設定された所定の検出領域内において、周囲温度と温度差のあるものを検出したときの温度変化量によって人の有無を検出する。すなわち、検出センサ７０は、所定の検出領域における人の在否を検出するためのセンサである。
【００４８】
検出センサ７０は、所定の検出領域内に赤外線を発する物体がないか温度変化をモニターし、その情報（データ）をＣＰＵに出力する。
【００４９】
検出センサ７０は、所定の検出領域内で温度変化が有ることを示すデータまたは所定の検出領域内で温度変化が無いことを示すデータをＣＰＵに出力する。詳細な説明は省略するが、ＣＰＵは、検出センサ７０から出力されたデータに応じて、所定の検出領域内で温度変化が有ると判断した場合に、所定の検出領域に人が存在すると判断し、所定の検出領域内で温度変化が無い状態が継続したと判断した場合に、所定の検出領域に人が存在しないと判断する。
【００５０】
また、検出センサ７０の検出可能領域は、検出面の中心位置（以下、単に「検出センサ７０の中心位置」ということがある）から当該検出面に垂直に延びる中心軸（検出可能領域の中心軸）７０ａ（図６参照）に対して所定角度（検知角）の範囲内となる。すなわち、検出センサ７０の検出可能領域は、中心軸７０ａを中心とした略円錐状の領域である。ただし、検出センサ７０は、その検出面が前方かつ斜め上方に向くように配置される。したがって、中心軸７０ａは、水平方向から見たときに、斜め上方に傾いており、検出センサ７０の検出可能領域は、斜め上方に傾いた略円錐状の領域である。たとえば、検出センサ７０は、画像読取部１４の筐体２４の前面２４ａの傾斜に沿うように設けられ、検出センサ７０の中心軸７０ａが前面２４ａに対して略垂直になるように設けられる。
【００５１】
また、図２および図５に示すように、検出センサ７０は、保持部材６０の窓６０２に対応する位置に配置され、検出センサ７０の軸方向から見たときに、少なくとも検出センサ７０の検出面の一部が窓６０２から露出する。この実施例では、検出センサ７０の検出面の上側の一部が窓６０２から露出し、検出センサ７０の検出面の下側の一部が保持部材６０によって覆われる。ただし、検出センサ７０および窓６０２の位置関係は、検出センサ７０の検出面の中心位置が窓６０２の範囲内に位置するように設定される。
【００５２】
図３（Ａ）、図３（Ｂ）および図４に示すように、シャッタ部材８０は、全体として略板状をなす本体部を有し、赤外線を遮断することが可能な材料によって形成される。また、シャッタ部材８０は、複数の窓（開口部）８２、ガイド孔８０２、フランジ部８０４、ガイドリブ８０６および突起８０８を有する。
【００５３】
複数の窓８２のそれぞれは、略矩形状の開口端によって形成され、所定の間隔を隔てて左右方向に並ぶ。ただし、詳細は後述するが、複数の窓８２のそれぞれは、上下方向において検出センサ７０に対応する位置に設けられる。また、複数の窓８２のそれぞれは、互いに大きさが異なる。
【００５４】
具体的には、複数の窓８２のそれぞれの左右の側縁部の間の距離は、他の窓８２の左右の側縁部の間の距離と異なる。すなわち、複数の窓８２のそれぞれの左右方向の幅（横幅）は、他の窓８２の左右方向の幅と異なる。また、複数の窓８２のそれぞれの下縁部の上下方向の位置（窓８２の下端の位置）は、他の窓８２の下縁部の上下方向の位置と異なる。
【００５５】
この実施例では、３つの窓８２がシャッタ部材８０に設けられる。詳しくは、左から順に配置される窓８２ａ〜８２ｃがシャッタ部材８０に設けられる。以下、窓８２ａ〜８２ｃを特に区別しない場合には単に「窓８２」と言うことがある。
【００５６】
ガイド孔８０２は、左右方向に延びる長孔（スロット孔）である。このガイド孔８０２には、上述した複数の突起６０８が嵌合される。ただし、ガイド孔８０２の上下方向の大きさ（幅）は、複数の突起６０８の外径よりも僅かに大きく設定される。したがって、ガイド孔８０２は、複数の突起６０８に対して摺動可能である。
【００５７】
フランジ部８０４は、シャッタ部材８０の本体部の上端部から上方に延び、保持部材６０の本体表面およびフランジ部６０４によって形成される下向きの溝に左右方向に摺動可能に嵌合される。
【００５８】
すなわち、上述したガイド孔８０２および複数の突起６０８と、フランジ部８０４と保持部材６０の溝とによって、シャッタ部材８０は、保持部材６０および検出センサ７０に対し左右方向にスライド（相対移動）可能である。ただし、図３（Ａ）および図４に示すように、座金付きのねじ９２等、その一部がガイド孔８０２の端部に当接するような締結部材が突起６０８のねじ孔にねじ止めされると、シャッタ部材８０の前後方向の移動、特に前面側への移動（浮き）が規制される。なお、ねじ９２がねじ止めされた状態でも、シャッタ部材８０は、スライド可能である。
【００５９】
ガイドリブ８０６は、保持部材６０の本体の背面から背面側に延びるリブであり、ガイドリブ６１０の上面に摺動可能に当接する。このガイドリブ８０６がガイドリブ６１０上面を摺動することによって、シャッタ部材８０が左右方向にスライドされる。すなわち、ガイドリブ８０６は、シャッタ部材８０をスムーズに移動させるためのガイドとして機能する。
【００６０】
突起８０８は、保持部材６０の本体部の背面から背面側に突出する突起である。ただし、突起８０８は、上下方向において保持部材６０の凹部６０６に対応する位置に配置される。また、突起８０８の先端部（背面側の端部）は、凹部６０６に対応する形状、この実施例では、略半球状に形成される。さらに、突起８０８は、保持部材６０の本体部に設けられる弾性支持部８０８ａを介して保持部材６０の本体部に支持される。
【００６１】
弾性支持部８０８ａは、背面側に突起８０８が形成され、左右方向に延びる板状の支持板８０８ｂと、支持板８０８ｂの左右の両端部を支持するとともに、保持部材６０の本体部に連結される係止部８０８ｃとを含む。ただし、支持板８０８ｂの上下には、スリット（隙間）が形成されており、支持板８０８ｂは、左右の両端部だけで支持される。したがって、支持板８０８ｂは、その左右の両端部（係止部８０８ｃ）を支点に前後方向に弾性変形することができ、突起８０８を所定の圧力で背面側に向かって付勢する。すなわち、突起８０８は、弾性支持部８０８ａによって、保持部材６０に当接するように付勢される。
【００６２】
したがって、突起８０８と凹部６０６とが対応する位置にシャッタ部材８０が移動されると、突起８０８が凹部６０６に嵌まった状態となり、シャッタ部材８０を移動させる際の抵抗となる。すなわち、当該位置においてシャッタ部材８０が保持された状態となる。ただし、突起８０８と凹部６０６とはそれぞれ略半球状に形成されているので、シャッタ部材８０に所定の力がかかった場合には、突起８０８が凹部６０６から外れ、小さい力でもシャッタ部材８０を移動させることができるようになる。
【００６３】
この実施例では、シャッタ部材８０は、突起８０８と左側の凹部６０６ａとが対応する位置（以下、「第１位置」という。）、突起８０８と中央の凹部６０６ｂとが対応する位置（以下、「第２位置」という。）、および突起８０８と右側の凹部６０６ｃとが対応する位置（以下、「第３位置」という。）とで保持可能である。
【００６４】
シャッタ部材８０が第１位置に位置する場合には、窓８２ａが検出センサ７０の前方に位置し、シャッタ部材８０が第２位置に位置する場合には、窓８２ｂが検出センサ７０の前方に位置し、シャッタ部材８０が第３位置に位置する場合には、窓８２ｃが検出センサ７０の前方に位置する。このように、凹部６０６ａ〜６０６ｃおよび突起８０８は、窓８２ａ〜８２ｃのいずれかと、検出センサ７０とが対応する第１位置〜第３位置でシャッタ部材８０を保持する保持部として機能する。なお、この実施例では、シャッタ部材８０は、第１位置〜第３位置のいずれかの位置で保持されているものとする。
【００６５】
図５には、検出センサ７０の中心位置を基準として、シャッタ部材８０が第１位置に位置する場合の窓８２ａと、シャッタ部材８０が第２位置に位置する場合の窓８２ｂと、シャッタ部材８０が第３位置に位置する場合の窓８２ｃとを重ねて示している。この図５から分かるように、シャッタ部材８０が第１位置〜第３位置に位置する場合には、検出センサ７０の軸方向から見たときに、検出センサ７０の検出面のうち窓６０２から露出する部分の一部が、シャッタ部材８０によって覆われる。ただし、シャッタ部材８０が第１位置に位置する場合には、検出センサ７０の検出面の一部が窓８２ａから露出し、シャッタ部材８０が第２位置に位置する場合には、検出センサ７０の検出面の一部が窓８２ｂから露出し、シャッタ部材８０が第３位置に位置する場合には、検出センサ７０の検出面の一部が窓８２ｃから露出する。そして、窓８２ａ〜窓８２ｃのいずれかによって、画像形成装置１００の前方に設定される検出センサ７０の検出領域が規定される。すなわち、窓８２ａ〜窓８２ｃは、検出領域を規定する領域規定部として機能する。
【００６６】
図６は検出センサ７０による前後方向（または上下方向）の検出領域がシャッタ部材８０の位置に応じて変わることを示した概略側面図である。図７は検出センサ７０による左右方向および前後方向の検出領域がシャッタ部材８０の位置に応じて変わることを示した概略平面図である。なお、図７に示す検出領域は、図６に示す所定の高さ（人の頭部付近、たとえば床面から１７００ｍｍ）における検出領域を平面的に示したものである。
【００６７】
この実施例では、図６および図７に示すように、シャッタ部材８０が第１位置に位置する場合に窓８２ａによって規定される検出領域（以下、「第１検出領域」という。）はＳａとなり、シャッタ部材８０が第２位置に位置する場合に窓８２ｂによって規定される検出領域（以下、「第２検出領域」という。）はＳｂとなり、シャッタ部材８０が第３位置に位置する場合に窓８２ｃによって規定される検出領域（以下、「第３検出領域」という。）はＳｃとなる。なお、図６および図７では、第１検出領域Ｓａ〜第３検出領域Ｓｃのそれぞれは、互いに独立した領域のようにも見えるが、第２検出領域Ｓｂには、第１検出領域Ｓａが含まれ、第３検出領域Ｓｃには、第２検出領域Ｓｂおよびこれに含まれる第１検出領域Ｓａが含まれる。すなわち、第２検出領域Ｓｂは、第１検出領域Ｓａとの重複部分を含み、第３検出領域Ｓｃは、第１検出領域Ｓａとの重複部分および第２検出領域Ｓｂとの重複部分を含む。
【００６８】
ここで、第１検出領域Ｓａ〜第３検出領域Ｓｃのそれぞれの右端位置（右側限界）Ｒは、窓８２ａ〜窓８２ｃのそれぞれの右側縁部によって規定される。また、第１検出領域Ｓａ〜第３検出領域Ｓｃのそれぞれの上端（後端）位置（背面側限界）Ｚは、窓８２ａ〜窓８２ｃによっては規定されず、検出センサ７０の検出可能領域の上端位置と同じである。
【００６９】
さらに、第１検出領域Ｓａ〜第３検出領域Ｓｃのそれぞれの左端位置（左側限界）Ｌａ〜Ｌｃは、窓８２ａ〜窓８２ｃのそれぞれの左側縁部８２０ａ〜８２０ｃ（図５参照）によって規定される。具体的には、第１検出領域Ｓａの左側限界Ｌａは、窓８２ａの左側縁部８２０ａによって規定され、第２検出領域Ｓｂの左側限界Ｌｂは、窓８２ｂの左側縁部８２０ｂによって規定され、第３検出領域Ｓｃの左側限界Ｌｃは、窓８２ｃの左側縁部８２０ｃによって規定される。
【００７０】
さらにまた、第１検出領域Ｓａ〜第３検出領域Ｓｃのそれぞれの下端位置または前端位置、すなわち前面側限界Ｄａ〜Ｄｃは、窓８２ａ〜窓８２ｃのそれぞれの下縁部８２２ａ〜８２２ｃよって規定される。なお、前面側限界Ｄａ〜Ｄｃは、検出距離Ｄａ〜Ｄｃと言うこともできる。具体的には、第１検出領域Ｓａの前面側限界Ｄａは、窓８２ａの下縁部８２２ａによって規定され、第２検出領域Ｓｂの前面側限界Ｄｂは、窓８２ｂの下縁部８２２ｂによって規定され、第３検出領域Ｓｃの前面側限界Ｄｃは、窓８２ｃの下縁部８２２ｃによって規定される。
【００７１】
この実施例では、図５に示すように、検出センサ７０の中心位置に対する、シャッタ部材８０が第１位置に位置する場合の窓８２ａの右上端部の位置、シャッタ部材８０が第２位置に位置する場合の窓８２ｂの右上端部の位置、およびシャッタ部材８０が第３位置に位置する場合の窓８２ｃの右上端部の位置は、それぞれ同じである。すなわち、検出センサ７０の中心位置に対する、窓８２ａ〜８２ｃのそれぞれの右側縁部の位置は同じである。
【００７２】
したがって、図６および図７に示すように、シャッタ部材８０が第１位置〜第３位置のいずれに位置する場合であっても、規定される検出領域の背面側限界Ｚおよび右側限界Ｒは同じである。つまり、第１検出領域Ｓａ〜第３検出領域Ｓｃの背面側限界Ｚおよび右側限界Ｒは、シャッタ部材８０が第１位置〜第３位置のいずれに位置する場合でも変わらない。
【００７３】
一方、図５に示すように、シャッタ部材８０が第１位置に位置する場合の検出センサ７０の中心位置に対する窓８２ａの左下端部（左側縁部８２０ａおよび下縁部８２２ａ）の位置、シャッタ部材８０が第２位置に位置する場合の検出センサ７０の中心位置に対する窓８２ｂの左下端部（左側縁部８２０ｂおよび下縁部８２２ｂ）の位置、およびシャッタ部材８０が第３位置に位置する場合の検出センサ７０の中心位置に対する窓８２ｃの左下端部（左側縁部８２０ｃおよび下縁部８２２ｃ）の位置は、互いに異なる。
【００７４】
具体的には、窓８２ａの左側縁部８２０ａは、窓８２ｂの左側縁部８２０ｂおよび窓８２ｃの左側縁部８２０ｃよりも右方に位置する。また、窓８２ｂの左側縁部８２０ｂは、窓８２ｃの左側縁部８２０ｃよりも右方に位置する。すなわち、窓８２ａの左右方向の幅は、窓８２ｂの左右方向の幅および窓８２ｃの左右方向の幅よりも小さく、窓８２ｂの左右方向の幅は、窓８２ｃの左右方向の幅よりも小さい。
【００７５】
したがって、図６および図７に示すように、第１検出領域Ｓａの左側限界Ｌａは、第２検出領域Ｓｂの左側限界Ｌｂおよび第３検出領域Ｓｃの左側限界Ｌｃよりも右方に位置する。また、第２検出領域Ｓｂの左側限界Ｌｂは、第３検出領域Ｓｃの左側限界Ｌｃよりも右方に位置する。上述したように、第１検出領域Ｓａ〜第３検出領域Ｓｃの右側限界Ｒは同じであるので、第１検出領域Ｓａは、第２検出領域Ｓｂおよび第３検出領域Ｓｃよりも検出角が小さく、第２検出領域Ｓｂは、第３検出領域Ｓｃよりも検出角が小さい。
【００７６】
また、図５に示すように、窓８２ａの下縁部８２２ａは、窓８２ｂの下縁部８２２ｂおよび窓８２ｃの下縁部８２２ｃよりも上方に位置する。また、窓８２ｂの下縁部８２２ｂは、窓８２ｃの下縁部８２２ｃよりも上方に位置する。すなわち、窓８２ａの上下方向の幅は、窓８２ｂの上下方向の幅および窓８２ｃの上下方向の幅よりも小さく、窓８２ｂの上下方向の幅は、窓８２ｃの上下方向の幅よりも小さい。
【００７７】
したがって、図６および図７に示すように、第１検出領域Ｓａの前面側限界Ｄａは、第２検出領域Ｓｂの前面側限界Ｄｂおよび第３検出領域Ｓｃの前面側限界Ｄｃよりも後方に位置する。さらにまた、第２検出領域Ｓｂの前面側限界Ｄｂは、第３検出領域Ｓｃの前面側限界Ｄｃよりも後方に位置する。上述したように、第１検出領域Ｓａ〜第３検出領域Ｓｃの背面側限界Ｚは同じであるので、第１検出領域Ｓａ〜第３検出領域Ｓｃのうち、第１検出領域Ｓａは、第２検出領域Ｓｂおよび第３検出領域Ｓｃよりも前後方向の幅が狭く、第２検出領域Ｓｂは、第３検出領域Ｓｃよりも前後方向の幅が狭い。
【００７８】
以上のように、第１検出領域Ｓａは、第２検出領域Ｓｂおよび第３検出領域Ｓｃよりも狭く、第２検出領域Ｓｂは第３検出領域Ｓｃよりも狭い。
【００７９】
この実施例では、第１検出領域Ｓａ〜第３検出領域Ｓｃのそれぞれは、少なくとも操作ユニット１８の前方右側の領域を含む。このため、第１検出領域Ｓａ〜第３検出領域Ｓｃのいずれが設定されていても、操作ユニット１８を操作する人、すなわち操作ユニット１８に向かう人を検出することができる。
【００８０】
また、第１検出領域Ｓａおよび第２検出領域Ｓｂは、画像形成装置１００の前方左側の領域を含まない。このため、第１検出領域Ｓａまたは第２検出領域Ｓｂが設定されている場合には、排紙トレイ２６に排出された用紙を取りに排紙トレイ２６に向かって近付く人を検出しないようにすることができる。例えば左側から排紙トレイ２６に近付く人を検出しなくすることができる。
【００８１】
さらに、第１検出領域Ｓａは、前後方向の幅が狭いので、画像形成装置１００の前を通過するだけの人を検出しないようにすることができる。一方、第３検出領域Ｓｃは、広範囲の検出領域を確保することができる。
【００８２】
この第１実施例では、シャッタ部材８０の位置を移動させることによって、検出センサ７０による前後方向の検出領域および左右方向の検出領域を調整することができる。このため、画像形成装置１００の設置環境に応じて最適な検出領域を簡単に設定することができ、検出センサ７０の検出精度の向上を図るとともに、誤検出を防止することができる。
【００８３】
なお、この第１実施例では、操作ユニット１８および電源キー５４が筐体２４の前面右側に配置されるようにしたが、操作ユニット１８および電源キー５４は、前面左側に配置されても良い。この場合、画像形成装置１００を操作使用するユーザは、画像形成装置１００の前面左側に立つと考えられる。したがって、検出センサ７０の中心位置に対する、窓８２ａ〜８２ｃのそれぞれの左側縁部の位置を同じにして、第１検出領域Ｓａ〜第３検出領域Ｓｃのそれぞれが少なくとも操作ユニット１８の前方左側の領域を含むようにすれば良い。
【００８４】
また、第１実施例では、シャッタ部材８０が検出センサ７０に対し左右方向にスライドするようにしたが、シャッタ部材８０が検出センサ７０に対し上下方向にスライドするようにしても良い。この場合、複数の窓８２は、所定の間隔を隔ててシャッタ部材８０がスライドする方向、すなわち上下方向に並ぶ。
［第２実施例］
第２実施例の画像形成装置１００は、シャッタ部材８０の構成を一部変更した以外は、第１実施例と同じであるため、重複した説明は省略する。
【００８５】
図８は第２実施例のシャッタ部材８０の構造を示す概略正面図である。図８に示すように、第２実施例では、シャッタ部材８０は、複数の窓８２に代えて、領域規定部として機能する窓８４を有する。
【００８６】
窓８４は、上下方向に短く、左右方向に長い略矩形状の開口端によって形成される。ただし、窓８４は、上下方向において検出センサ７０に対応する位置に設けられる。
【００８７】
窓８４は、複数の下縁部８４２と、複数の側縁部８４４とを含む。複数の下縁部８４２のそれぞれは、水平方向に延び、左右方向および上下方向のそれぞれにおいて互いに異なる位置に形成される。この実施例では、左側から順に、下縁部８４２ａ、下縁部８４２ｂおよび下縁部８４２ｃが設けられる。ただし、下縁部８４２ａは、下縁部８４２ｂおよび下縁部８４２ｃよりも上方に位置する。また、下縁部８４２ｂは、下縁部８４２ｃよりも上方に位置する。
【００８８】
複数の側縁部８４４のそれぞれは、上下方向に延び、左右方向の位置が互いに異なる。この実施例では、左側から順に側縁部８４４ａおよび側縁部８４４ｂが設けられる。また、側縁部８４４ａは、下縁部８４２ａおよび下縁部８４２ｂを接続するように、これらの間に設けられ、側縁部８４４ｂは、下縁部８４２ｂおよび下縁部８４２ｃを接続するように、これらの間に設けられる。ただし、側縁部８４４ａおよび側縁部８４４ｂは、略垂直に形成される。
【００８９】
また、図示は省略するが、この実施例では、保持部材６０には、５つの凹部６０６が設けられる。したがって、シャッタ部材８０は、各凹部６０６と突起８０８とが対応する第１位置〜第５位置で保持可能である。ただし、第１位置〜第５位置のそれぞれは、少なくとも下縁部８４２ａ〜８４２ｃのうちの少なくとも１つに対応する位置であって、検出センサ７０の検出面の一部が窓８４から露出する所定の位置である。すなわち、５つの凹部６０６および突起８０８は、下縁部８４２ａ〜８４２ｃのうちの少なくとも１つと、検出センサ７０とが対応する所定の位置でシャッタ部材８０を保持する保持部として機能する。
【００９０】
図９（Ａ）は第１位置における検出センサ７０と窓８４との位置関係を示す概略正面図である。図９（Ｂ）は第２位置における検出センサ７０と窓８４との位置関係を示す概略正面図である。図９（Ｃ）は第３位置における検出センサ７０と窓８４との位置関係を示す概略正面図である。図９（Ｄ）は第４位置における検出センサ７０と窓８４との位置関係を示す概略正面図である。図９（Ｅ）は第５位置における検出センサ７０と窓８４との位置関係を示す概略正面図である。図１０は第２実施例の検出センサ７０の検出領域を示す概略平面図である。
【００９１】
なお、図９（Ｂ）〜図９（Ｄ）からわかるように、この実施例では、窓６０２の左右方向の幅は、検出センサ７０の左右方向の幅よりも大きく設定されており、窓６０２は、検出センサ７０の検出可能領域の左右方向は遮蔽せず、検出センサ７０の検出可能領域の下側の一部のみを遮蔽するように設けられる。
【００９２】
図９（Ａ）に示すように、シャッタ部材８０が第１位置に位置する場合には、下縁部８４２ａおよび窓８４の左側縁部８４０が検出センサ７０の前方に位置する。ただし、シャッタ部材８０が第１位置に位置する場合には、検出センサ７０の中心は、左右方向においては左側縁部８４０と略同じ位置に位置し、上下方向においては下縁部８４２ａよりも下側に位置する。
【００９３】
図９（Ｂ）に示すように、シャッタ部材８０が第２位置に位置する場合には、下縁部８４２ａ、側縁部８４４ａおよび下縁部８４２ｂが検出センサ７０の前方に位置する。ただし、シャッタ部材８０が第２位置に位置する場合には、検出センサ７０の中心は、左右方向においては下縁部８４２ａの範囲内に位置し、上下方向においては下縁部８４２ａよりも下側に位置する。
【００９４】
図９（Ｃ）に示すように、シャッタ部材８０が第３位置に位置する場合には、側縁部８４４ａおよび下縁部８４２ｂが検出センサ７０の前方に位置する。ただし、シャッタ部材８０が第３位置に位置する場合には、検出センサ７０の中心は、左右方向においては下縁部８４２ｂの範囲内（左右方向の略中央）に位置し、上下方向においては下縁部８４２ｂと略同じ位置（高さ）に位置する。
【００９５】
図９（Ｄ）に示すように、シャッタ部材８０が第４位置に位置する場合には、下縁部８４２ｂ、側縁部８４４ｂおよび下縁部８４２ｃが検出センサ７０の前方に位置する。ただし、シャッタ部材８０が第４位置に位置する場合には、検出センサ７０の中心は、左右方向においては下縁部８４２ｂの右端または側縁部８４４ｂと略同じ位置に位置し、上下方向においては側縁部８４４ｂの上端または下縁部８４２ｂと略同じ位置に位置する。すなわち、検出センサ７０の中心は、下縁部８４２ｂおよび側縁部８４４ｂが交差する角部に位置する。
【００９６】
図９（Ｅ）に示すように、シャッタ部材８０が第５位置に位置する場合には、下縁部８４２ｃが検出センサ７０の前方に位置する。ただし、シャッタ部材８０が第５位置に位置する場合には、検出センサ７０の中心は、左右方向においては下縁部８４２ｃの範囲内（左右方向の略中央）に位置し、上下方向においては下縁部８４２ｃよりも僅かに上側に位置する。
【００９７】
この実施例では、シャッタ部材８０が第１位置〜第５位置のそれぞれに位置する場合の窓８４によって規定される５種類の検出領域（第１検出領域〜第５検出領域）が設定される。
【００９８】
詳しくは、図１０に示すように、シャッタ部材８０が第１位置に位置する場合には、領域Ｔａを含む第１検出領域が設定される。ただし、領域Ｔａの左側限界Ｌａは、窓８４の左側縁部８４０によって規定され、領域Ｔａの前面側限界Ｄは、下縁部８４２ａによって規定される。
【００９９】
ただし、第１検出領域における領域Ｔａの背面側限界Ｚは、検出センサ７０の検出可能領域の上端位置と同じであり、領域Ｔａの右側限界Ｒは、検出センサ７０の検出可能領域の右端位置と同じである。これらのことは、第２検出領域〜第５検出領域でも同じである。
【０１００】
シャッタ部材８０が第２位置に位置する場合には、領域Ｔａ、領域Ｔｂおよび領域Ｔｃを含む第２検出領域が設定される。ただし、領域Ｔｂは、領域Ｔａの左側に連続して設けられる領域である。領域Ｔｂの前面側限界Ｄは、下縁部８４２ａによって規定される。領域Ｔｃは、領域Ｔａの前面側に連続して設けられる領域である。領域Ｔｃの左側限界Ｌは、側縁部８４４ａによって規定され、領域Ｔｃの前面側限界Ｄは、下縁部８４２ｂによって規定される。
【０１０１】
シャッタ部材８０が第３位置に位置する場合には、領域Ｔａ、領域Ｔｂ、領域Ｔｃおよび領域Ｔｄを含む第３検出領域が設定される。ただし、領域Ｔｄは、領域Ｔａおよび領域Ｔｂの前面側に連続して設けられ、かつ、領域Ｔｃの左側に連続して設けられる領域である。領域Ｔｄの左側限界Ｌは、側縁部８４４ａによって規定され、領域Ｔｄの前面側限界Ｄは、下縁部８４２ｂによって規定される。
【０１０２】
シャッタ部材８０が第４位置に位置する場合には、領域Ｔａ、領域Ｔｂ、領域Ｔｃ、領域Ｔｄ、領域Ｔｅおよび領域Ｔｆを含む第４検出領域が設定される。ただし、領域Ｔｅは、領域Ｔｂの前面側に連続して設けられ、かつ、領域Ｔｄの左側に連続して設けられる領域である。領域Ｔｅの前面側限界Ｄは、下縁部８４２ｂによって規定される。領域Ｔｆは、領域Ｔｃおよび領域Ｔｄの前面側に連続して設けられる領域である。領域Ｔｆの左側限界Ｌは、側縁部８４４ｂによって規定され、領域Ｔｆの前面側限界Ｄは、下縁部８４２ｃによって規定される。
【０１０３】
シャッタ部材８０が第５位置に位置する場合には、領域Ｔａ、領域Ｔｂ、領域Ｔｃ、領域Ｔｄ、領域Ｔｅ、領域Ｔｆおよび領域Ｔｇを含む第４検出領域が設定される。ただし、領域Ｔｇは、領域Ｔｄおよび領域Ｔｅの前面側に連続して設けられ、かつ、領域Ｔｆの左側に連続して設けられる領域である。領域Ｔｇの前面側限界Ｄは、下縁部８４２ｃによって規定される。
【０１０４】
この第２実施例によれば、第１実施例と同様に、シャッタ部材８０の位置を移動させることによって、検出センサ７０による前後方向の検出領域および左右方向の検出領域を調整することができる。
【０１０５】
また、第２実施例によれば、検出センサ７０の検出領域の前端部における左右方向の幅を調整することができるので、画像形成装置１００の周囲の人の動線を含まないようにするなど、最適な検出領域を設定することができる。
【０１０６】
以上のように、第２実施例によれば、簡単な構成で、左右方向の検出領域を検出センサ７０の中心を軸に非対称となる複雑な領域に変更することができる。また、前後方向の検出領域も同様に検出センサ７０の中心を軸に非対称な複雑な領域に変更することができる。これによって、画像形成装置１００を操作するために近付いてくる人を効果的に検出する検出領域を画像形成装置１００の設置環境に応じて簡単に設定することができる。
【０１０７】
なお、この第２実施例では、側縁部８４４ａおよび側縁部８４４ｂが略垂直に形成されるようにしたが、これに限定される必要は無い。たとえば、図１１に示すように、側縁部８４４ａおよび側縁部８４４ｂが傾斜する（斜めに形成される）ようにしてもよい。このようにすれば、側縁部８４４ａまたは側縁部８４４ｂによって検出センサ７０の検出領域が規定される場合に、検出センサ７０の検出領域が鉛直方向に対して角度をもって形成されるため、操作ユニット１８に向かう人と、排紙トレイ２６に排出された用紙を取りにきただけの人とを区別することができる。
【０１０８】
また、第２実施例では、シャッタ部材８０の位置を第１位置から第５位置までとしたが、これより細かく位置決めを行ってもよい。
［第３実施例］
第３実施例の画像形成装置１００は、保持部材６０の構成を一部変更した以外は、第１実施例と同じであるため、重複した説明は省略する。
【０１０９】
図１２は第３実施例の保持部材６０の構造を示す概略正面図である。図１２に示すように、第３実施例では、窓６０２は、検出センサ７０の検出可能領域の左端部を遮蔽する遮蔽部６０２ａを有する。このため、第３実施例では、シャッタ部材８０の位置に関係なく、検出センサ７０の最大検出領域Ｕの左側限界Ｌｗは、遮蔽部６０２ａの右縁部６０２ｂによって規定される。したがって、検出センサ７０の最大検出領域Ｕは、検出センサ７０の検出可能領域のうち、装置本体の前方左側の領域を除くように形成される。すなわち、検出センサ７０の最大検出領域Ｕは、少なくとも操作ユニット１８の前方の領域を含み、排紙トレイ２６に排出された用紙を取りにきただけの人の動線を含まない。
【０１１０】
そして、この第３実施例では、検出センサ７０の最大検出領域Ｕの領域内において、シャッタ部材８０の窓によって規定される検出領域が設定される。
【０１１１】
この第３実施例によれば、少なくとも操作ユニット１８の前方の領域を含み、排紙トレイ２６に排出された用紙を取りにきただけの人の動線を含まない最大検出領域Ｕの領域内において検出領域が設定されるので、操作ユニット１８に向かう人と、排紙トレイ２６に排出された用紙を取りにきただけの人とを区別することができる。
【０１１２】
なお、上記の各実施例では、画像形成装置１００が複合機として構成されているが、本発明の画像形成装置は、プリンタ、複写機またはファクシミリとして構成されてもよい。
【０１１３】
また、上記の各実施例では、画像形成装置１００がカラー複合機として構成されているが、本発明の画像形成装置は、モノクロ印刷機またはモノクロ複合機として構成されてもよい。この場合、画像形成部１２では、Ｋ（ブラック）についての画像形成ステーションが構成される。
【０１１４】
さらに、上述の実施例で挙げた具体的な形状等は一例であり、実際の製品に応じて適宜変更することが可能である。
【符号の説明】
【０１１５】
１００…画像形成装置
１０  …検出部
１２  …画像形成部
１４  …画像読取部
１８  …操作ユニット
２４  …筐体
５０  …タッチパネルディスプレイ
６０  …保持部材
７０  …検出センサ
８０  …シャッタ部材
８２  …開口部（窓）
【図１】
2019202505.tif 000003
【図２】
2019202505.tif 000004
【図３】
2019202505.tif 000005
【図４】
2019202505.tif 000006
【図５】
2019202505.tif 000007
【図６】
2019202505.tif 000008
【図７】
2019202505.tif 000009
【図８】
2019202505.tif 000010
【図９】
2019202505.tif 000011
【図１０】
2019202505.tif 000012
【図１１】
2019202505.tif 000013
【図１２】
2019202505.tif 000014